(57)【要約】【課題】  車両の燃費を表示可能な車両用表示装置において、利用者が瞬時に瞬間燃費と平均燃費との差を確認でき、燃費に配慮した運転の実施を支援することが可能な車両用表示装置を提供する。【解決手段】  車両の燃費を表示する燃費表示部１１を少なくとも有する車両用表示装置である。燃費表示部１１は、単一の指標部１１ａと、指標部１１ａを指示して瞬間燃費をアナログ表示する指針部１１ｂと、指標部１１ａに応じて配置され平均燃費を表示するバーグラフ１１ｃ、を備えてなる。燃費表示部１１は、瞬間燃費と平均燃費を切り換えて表示可能なデジタル表示部１１ｄを有してなる。【選択図】  図２
2009058275.tif 000002
【特許請求の範囲】
【請求項１】
車両の燃費を表示する燃費表示部を少なくとも有する車両用表示装置であって、
前記燃費表示部は、単一の指標部と、前記指標部を指示して瞬間燃費をアナログ表示する指針部と、前記指標部に応じて配置され平均燃費を表示するバーグラフと、を備えてなることを特徴とする車両用表示装置。
【請求項２】
前記燃費表示部は、瞬間燃費と平均燃費を切り換えて表示可能なデジタル表示部を有してなることを特徴とする請求項１に記載の車両用表示装置。
【請求項３】
前記燃費表示部はフラットパネルディスプレイからなり、前記フラットパネルディスプレイは前記指標部，前記指針部，前記バーグラフ及び前記デジタル表示部を表示してなることを特徴とする請求項２に記載の車両用表示装置。
【発明の詳細な説明】
【技術分野】
【０００１】
本発明は、車両情報として特に車両の燃費を表示する車両用表示装置に関するものである。
【背景技術】
【０００２】
車速，エンジン回転数，水温，油圧等の様々な車両に関する情報（以下、車両情報という）を表示する車両用表示装置において、車両情報の一種として車両の燃費情報を表示するものが知られている。
【０００３】
また、燃費の表示方法として、瞬間燃費や平均燃費を数字，バーグラフあるいは折れ線グラフ等で表示するものが知られている（例えば特許文献１，２参照）。また、瞬間燃費と平均燃費を並記し、現在の燃費である瞬間燃費と過去の燃費である平均燃費とを対比して運転時の燃費の良否を運転者が判断できるようにする表示方法もある。
【特許文献１】特開２０００−２０５９２５号公報
【特許文献２】特開２００２−２２５５９３号公報
【発明の開示】
【発明が解決しようとする課題】
【０００４】
しかしながら、単に並記するのみであっては現在の運転状況と過去の運転状況とを瞬時に比較することが困難であって、燃費の表示表現としては更なる改良の余地があった。
【０００５】
そこで、本発明は、上述した課題に着目してなされたものであり、車両の燃費を表示可能な車両用表示装置において、利用者が瞬時に瞬間燃費と平均燃費との差を確認でき、燃費に配慮した運転の実施を支援することが可能な車両用表示装置を提供することを目的とするものである。
【課題を解決するための手段】
【０００６】
本発明は、前記課題を解決するため、車両の燃費を表示する燃費表示部を少なくとも有する車両用表示装置であって、前記燃費表示部は、単一の指標部と、前記指標部を指示して瞬間燃費をアナログ表示する指針部と、前記指標部に応じて配置され平均燃費を表示するバーグラフと、を備えてなることを特徴とする。
【０００７】
また、前記燃費表示部は、瞬間燃費と平均燃費を切り換えて表示可能なデジタル表示部を有してなることを特徴とする。
【０００８】
また、前記表示手段はフラットパネルディスプレイからなり、前記フラットパネルディスプレイは前記指標部，前記指針，前記バーグラフ及び前記デジタル表示部を表示してなることを特徴とする。
【発明の効果】
【０００９】
本発明は、車両情報として特に車両の燃費を表示する車両用表示装置に関するものであり、利用者が瞬時に瞬間燃費と平均燃費との差を確認でき、燃費に配慮した運転の実施を支援することが可能となる。
【発明を実施するための最良の形態】
【００１０】
以下、本発明を適用した実施形態を添付図面に基づいて説明する。
【００１１】
図１及び図２を用いて車両用表示装置の全体構成を説明する。車両用表示装置は、表示手段１と、車両情報検出手段２と、制御手段３とから主に構成されている。
【００１２】
表示手段１は、ＬＣＤパネルやＥＬパネルあるいはプラズマディスプレイ等のフラットパネルディスプレイからなるものである。また表示手段１は、後述する燃費表示部を構成する。
【００１３】
車両情報検出手段２は、車両情報を検出するものであり、本実施形態では、少なくとも制御手段３で瞬間燃費及び平均燃費を算出するべく車両情報として車速及び燃料消費量を検出するためのものであって、例えばスピードセンサ及び車両側ＥＣＵ（エンジンコントロールユニット）からなる。
【００１４】
制御手段３は、ＣＰＵ，ＲＯＭ，ＲＡＭ及び入出力インターフェイス等を備えたマイクロコンピュータから構成される。制御手段３は、車両情報検出手段２から状態信号を入力し、前記状態信号に基づいて車両情報の計測データを所定の演算処理によって求め、前記計測データに応じた駆動信号を所定周期で表示手段１へ出力して表示手段１を表示駆動させるものである。本実施形態においては、制御手段３は、車両情報検出手段２から車速及び燃料消費量を示す各状態信号を入力し、車速及び燃料消費量に基づいて瞬間燃費と平均燃費を所定の演算処理によって求め、算出結果に応じた駆動信号を表示手段１へ出力して表示手段１に瞬間燃費及び平均燃費を表示させる。
【００１５】
以上の各部によって車両用表示装置が構成されている。次に、車両用表示装置における表示手段１の燃費表示部について説明する。
【００１６】
図２は、表示手段１の燃費表示部１１を示すものである。燃費表示部１１は、指標部１１ａと、指標部１１ａを指示して瞬間燃費をアナログ表示する指針部１１ｂと、同じく指標部１１ａを指示して平均燃費を表示するバーグラフ１１ｃと、瞬間燃費と平均燃費を切り換えて表示可能なデジタル表示部１１ｄと、を有する。指標部１１ａ，指針部１１ｂ，バーグラフ１１ｃ及びデジタル表示部１１ｄは全て表示手段１によって表示される表示像である。
【００１７】
指標部１１ａは、複数の指標を含み、瞬間燃費と平均燃費とを示すための共通のスケール（目盛り）となるものである。
【００１８】
指針部１１ｂは、アナログ計器における指針を模した表示像であり、瞬間燃費の変化に応じて指標部１１ａの前記各指標を指示して指標部１１ａとの対比判読により瞬間燃費を表示するためのものである。
【００１９】
バーグラフ１１ｃは、指標部１１ａと重なるように配置され、各指標平均燃費の変化に応じてその長さを変更して指標部１１ａとの対比判読により平均燃費を表示するためのものである。
【００２０】
デジタル表示部１１ｄは、瞬間燃費と平均燃費の何れかを切り換えて数字で表示するものである。なお、図２においては、デジタル表示部１１ｄには平均燃費が数字表示されている。デジタル表示部１１ｄは、運転状況や利用者の好みに応じて図３に示すように瞬間燃費の表示に切り換えが可能である。
【００２１】
かかる車両用表示装置は、指針部１１ｂによる瞬間燃費のアナログ表示とバーグラフ１１ｃによる平均燃費のバーグラフ表示とを共通の指標部１１ａとの対比判読によって表示することによって、対比対象となる指標部１１ａが単一であるために単なる並記による表示と比較して利用者が瞬時に瞬間燃費と平均燃費との差を確認することができ、燃費に配慮した運転の実施を支援することが可能となる。また、それぞれ変動の激しい現在の燃費である瞬間燃費の表示を指針部１１ｂを用いたアナログ表示とし、平均燃費を表示するバーグラフ１１ｃを指標部１１ａと重なるように配置することで平均燃費に対する瞬間燃費の数値の増減を指針部１１ｂの挙動によって瞬時に認識することができる。
【００２２】
また、瞬間燃費と平均燃費の何れかを切り換えて数字表示するためのデジタル表示部１１ｄを設けることによって、状況や利用者の好みに応じて瞬間燃費と平均燃費のうち注意して監視したい情報の視認性をより高めることができる。
【００２３】
また、本実施形態においては、表示手段１は、燃費表示部１１において、表示像として指標部１１ａ，指針部１１ｂ，バーグラフ１１ｃ及びデジタル表示部１１ｄを表示するものであったが、例えば表示手段１の前方に実体の指針を指針部として配置する構造であっても本発明の効果を十分に得ることができる。
【図面の簡単な説明】
【００２４】
【図１】本発明の実施形態である車両用表示装置の電気的構成を示す図。
【図２】同上の車両用表示装置の燃費表示部を示す図。
【図３】同上の車両用表示装置の燃費表示部を示す図。
【符号の説明】
【００２５】
１    表示手段（フラットパネルディスプレイ）
２    車両情報検出手段
３    制御手段
１１  燃費表示部
１１ａ  指標部
１１ｂ  指針部
１１ｃ  バーグラフ
１１ｄ  デジタル表示部
【図１】
2009058275.tif 000003
【図２】
2009058275.tif 000004
【図３】
2009058275.tif 000005